(57)【要約】【課題】床付き布枠からの浮き上がりを防止することができ、かつ目視によって確実に設置されているか否かを確認することができる隙間塞ぎ材並びにこの隙間塞ぎ材を組み込んでなる仮設足場の提供。【解決手段】カバー材と、そのカバー材の上面の両端部に取り付けられたバネ材からなる隙間塞ぎ材であって、そのバネ材はカバー材の幅方向の内側方向に付勢されていることを特徴とする隙間塞ぎ材並びにこの隙間塞ぎ材を組み込んでなる仮設足場。【選択図】図２
2011226221.tif 000002
【特許請求の範囲】
【請求項１】
カバー材と、そのカバー材の上面の両端部に取り付けられたバネ材からなる隙間塞ぎ材であって、そのバネ材はカバー材の幅方向の内側方向に付勢されていることを特徴とする隙間塞ぎ材。
【請求項２】
カバー材と、そのカバー材の一方の端部近傍には下面にＬ型のフックが取り付けられ、そのカバー材の他方の端部の上面にはバネ材が取り付けられてなる隙間塞ぎ材であって、そのバネ材はカバー材の幅方向の内側方向に付勢されていることを特徴とする隙間塞ぎ材。
【請求項３】
バネ材はコの字形状であり、フランジの内側に突起物が形成されていることを特徴とする、請求項１または２に記載の隙間塞ぎ材。
【請求項４】
カバー材の上面にはエンボス加工が施されていることを特徴とする、請求項１から３までのいずれかに記載の隙間塞ぎ材。
【請求項５】
カバー材の上面には滑り止めテープが貼り付けられていることを特徴とする、請求項１から４までのいずれかに記載の隙間塞ぎ材。
【請求項６】
請求項１から５までのいずれかに記載の隙間塞ぎ材を備えることを特徴とする仮設足場。
【発明の詳細な説明】
【技術分野】
【０００１】
本発明は、建築現場や土木現場等の工事現場において、屋内外で用いられる仮設足場で作業床や作業員の通路などとして構築される足場板の隙間塞ぎ材並びにこの隙間塞ぎ材を組み込んでなる仮設足場に関する。
【背景技術】
【０００２】
工事現場における仮設足場には、主としてビルの施工時などに用いられる枠組足場、主として住宅の施工時などに用いられる単管足場などがあり、また、支保工、ローリングタワーなども仮設足場の一態様である。
【０００３】
例えば、枠組足場としては、コマと呼ばれる連結金具の複数個を側面に設けた支柱部材と水平材（腕木材ともいう。）を使用するタイプ（緊結型枠組足場）と、縦柱と横桟（横地材ともいう。）から構成されるＨ形状や鳥居形状の建枠を使用するタイプ（建枠型枠組足場）があり、いずれも対面する水平材の間又は横桟の間に床付き布枠（布板ともいう。）が架け渡されて、作業床や作業員の通路などとして使用される。また、支保工はコマと呼ばれる連結金具の複数個を側面に設けた支柱部材を縦方向に連結してなる支柱を行列状に配置し、これらの支柱部材のコマの間を長短２種の水平材（つなぎ材ともいう。）で水平２方向に連結することによって形成される緊結構造物であって、対向する水平材の間に床付き布枠を適宜架け渡すことで作業床や作業員の通路などとして使用することができる（以下、「支保工足場」という。）。なお、緊結型枠組足場や支保工足場で用いられる水平材は鋼製やアルミニウム製などの管の両端に端部金具を接合したものであって、この端部金具をコマに引っ掛けた後に、クサビによって緊結することで、支柱部材に固定して用いる。なお、支柱部材、水平材、建枠等は、鋼製やアルミニウム製などの管が用いられることが多い。
【０００４】
このように、これらの仮設足場には、通常、床付き布枠が架け渡されて、作業床や作業員の通路などとして使用される。
【０００５】
床付き布枠は、通常、長尺の主材の１本又は２本以上と、主材の長手方向の両端部に取り付けられる掴み金具と断面コの字形の梁材から構成されている。主材は水平面の床材部とその両縁側面を折り曲げてなる布材部とからなる。長尺の主材の両端部に断面コの字形の梁材が取り付けられ、そして、長尺の主材の両端部の四隅に掴み金具がリベット等で固定されて取り付けられる。なお、床付き布枠上を歩行する際に作業員が滑るのを防止するために、床材部の上面にはエンボス加工が施されることがある。また、床材部が幅方向に撓るのを防止するため、床材部の中央部の下側に桟木が設けられることがある。
【０００６】
このようにして形成された床付き布枠は、対面する水平材の間又は横桟の間に架け渡されて、仮設足場の作業床や通路として使用される。このとき、仮設足場の作業床や通路の幅応じて、床付き布枠を１枚又は２枚以上並べて架け渡すことによって、作業床又は通路が形成される。
【０００７】
しかしながら、床付き布枠の両端部の掴み金具を水平材又は横桟に取り付けることによって床付き布枠を架け渡すと、床付き布枠の端面間には隙間が生じる。また、床付き布枠を架け渡した後に、その隣に支柱を挟む形で、その床付き布枠と平行して別の床付き布枠を並べて架け渡すことがあるが、この場合にも並行する床付き布枠の間には隙間が生じる。このような隙間があると、作業員が枠組み足場を組立若しくは解体する作業中に又は枠組み足場内を移動中に、その隙間から工具や建築資材等を落下させたり、作業員がその隙間につまづいたりするおそれがある。
【０００８】
以下に、図面を用いて、床付き布枠の端面間および並行する床付き布枠間に生じる隙間について説明する。
【０００９】
図１は、従来例にかかる支保工足場を示す平面図である。図１(a)が全体図、そして、図１(b)が中央部の拡大図である。
【００１０】
この支保工式足場１００は、コマ１０と呼ばれる連結金具の複数個を周側面に設けた支柱部材３を縦方向に連結してなる支柱を行列状に配置し、これらの支柱部材のコマ１０の間を長短２種の水平材（つなぎ材ともいう。）１５で水平２方向に連結することによって形成される緊結構造物である。
【００１１】
各支柱の下端は、ジャッキベース（図示せず）によって地面上に支持されている。支保工式足場１００を組み立てる際には、まず、作業者が地面上に複数の支柱部材３を立設し、各支柱部材３の上部と下部のそれぞれにおいて、隣接する支柱部材３の間を短尺の水平材１５ａおよび長尺の水平材１５ｂによって、それぞれ支柱部材３に対して直角に連結する。なお、短尺の水平材１５ａのことを特に「腕木材」と呼ぶことがある。そして、対面する短尺の水平材１５ａの間に床付き布枠９を架け渡す。同様にして、他の個所にも床付き布枠９を架け渡すことで、適宜必要な個所に作業床や作業員の通路などとして使用する足場を形成することができる。ここでは、対面する短尺の水平材１５ａの間に幅の異なる２種の床付き布枠が１枚ずつ並べて架け渡されることによって１つの足場が形成されていて、作業床又は通路として使用される。
【００１２】
次に、作業者はこのようにして形成した足場（床付き布枠）に登り、既に立設されている支柱部材３の上端に別の支柱部材３を上段に連結して、この上段の支柱部材３の上部において、隣接する支柱部材３のコマ１０の間を、短尺の水平材１５ａおよび長尺の水平材１５ｂによって連結する。これらの手順を繰り返すことにより、所望の高さの支保工を組み立てることができる。このようにして組み立てられた上段にも、適宜必要な個所に床付き布枠９を架け渡すことができる。なお、床付き布枠を架け渡した個所は、作業床や作業員の通路などとして使用する足場となるので、作業員の転落防止のための手摺を設けることができる。
【００１３】
ここでは、４つのコマ１０が支柱部材３の周囲に十字状に設けられている。そして、水平材１５はその両端部に端部金具１７が接合されており、この端部金具１７をコマ１０に引っ掛けた後に、クサビ１９を打ち込むことによって、コマ１０に緊結される。なお、水平材１５に接合されている端部金具１７をコマ１０に緊結するために用いるクサビ１９は、水平材１５の運搬時や保管時には、水平材１５の端部近傍に設けられたクサビ収納孔２０に差し込まれている。
【００１４】
しかしながら、この支保工足場には、床付き布枠の端面間および並行する床付き布枠の間には隙間が生じている。
【００１５】
なお、床付き布枠の両端部の掴み金具を水平材（腕木材）に取り付けて床付き布枠を架け渡して足場を形成する緊結式枠組足場においても床付き布枠の端面間に隙間が生じている。また、緊結式枠組足場においても床付き布枠を架け渡した後に、その隣に支柱を挟む形で、その床付き布枠と平行して別の床付き布枠を並べて架け渡すことがあるが、この場合にも並行する床付き布枠の間には隙間が生じている。
【００１６】
特許文献１〜４には、建枠型枠組足場に関して、床付き布枠の端面間の隙間の上に設置してその隙間をカバーすることができる隙間塞ぎ材が提案されている。これらの隙間塞ぎ材は、高分子材料などからなるフック（係合片、弾性係止部）をカバー材の下方に備えており、このフックを建枠の管状の横桟（横地材）に引っかけることで、カバー材を床付き布枠の端面間の隙間の上に設置しようとするものである。
【００１７】
さらに、特許文献４には、建枠型枠組足場に関して、床付き布枠を２枚並べて対面する横架材（横桟）の間に架け渡した場合に並行する床付き布枠の間に生じる隙間をカバーすることができる隙間塞ぎ材も提案されている。この隙間塞ぎ材は、高分子材料からなるカバー材の下方に一体に形成されたバネ材を備えており、このバネ材を並行する床付き布枠の並行する床付き布枠の両サイドの間に押し込むことで、カバー材を並行する床付き布枠の隙間の上に設置しようとするものである。
【先行技術文献】
【特許文献】
【００１８】
【特許文献１】特開２００４−８４２６１号公報
【特許文献２】特開平１０−１６９１８７号公報
【特許文献３】特開２００８−４５３９８号公報
【特許文献４】特開２００２−３７１７０６号公報
【発明の概要】
【発明が解決しようとする課題】
【００１９】
しかしながら、これらのカバー材を有する隙間塞ぎ材は、カバー材の下方に備えた高分子材料などからなるフック（係合片、弾性係止部）を建枠の横桟に引っかけることによって、または、カバー材の下方に備えた高分子材料などからなるバネ材を並行する床付き布枠の両サイドの間に単に押し込むことによって、カバー材を床付き布枠の端面間または並行する床付き布枠の隙間の上に設置しようとするものであるから、下方から風が吹き上げた場合にカバー材が床付き布枠から大きく浮き上がって、足場から脱落するおそれがある。また、フック（係合片、弾性係止部）またはバネ材はカバー材の下方に設けられていることから、カバー材が確実に床付き布枠の隙間の上に設置されているか否かを作業員が足場上から目視によって確認できないという問題点がある。
【００２０】
本発明は、上記のような問題を解決するためになされたものであって、床付き布枠からの浮き上がりを防止することができ、かつ目視によって確実に設置されているか否かを確認することが可能な隙間塞ぎ材並びにこの隙間塞ぎ材を組み込んでなる仮設足場を提供することを目的とする。
【課題を解決するための手段】
【００２１】
本発明者らは、上記のような問題点を解決するために種々の検討を重ねた。その結果、次の(a)〜(i)に示す知見を得た。
【００２２】
(a) 上記の従来技術に係る隙間塞ぎ材は、いずれも大がかりなフック（係合片、弾性係止部）またはバネ材をカバー材の下方に備えているので、積み重ね性が悪く、輸送時には場所をとるのでトラックの荷台に少量しか積めないという問題がある。したがって、カバー材に取り付ける設置部材は、嵩張らないものがよい。
【００２３】
(b) また、カバー材に取り付ける設置部材としては、床付き布枠の隙間の上にカバー材を確実に設置でき、下方から風が吹き上げた場合であっても床付き布枠からカバー材が大きく浮き上がることがなく、足場から脱落するおそれがないものがよい。また、隙間塞ぎ材が床付き布枠上に確実に設置されているか否かを作業員が足場上から目視によって確認できるようにするためには、この設置部材を床付き布枠の上方に取り付けるのがよく、また、積み重ね性をよくするには嵩張らない設置部材とするのがよい。
【００２４】
(c) 本発明者等は、緊結式枠組足場や支保工式足場のように、コマと呼ばれる連結金具の複数個を側面に設けた支柱部材を用いる足場の場合には、隙間塞ぎ材の設置にはコマを利用することができることに思い至った。また、緊結式枠組足場においては、支柱部材と水平材（腕木材）からなる枠組を形成し、対面する水平材（腕木材）の間に床付き布枠を架け渡して仮設足場を形成するから床付き布枠の端面間の隙間には水平材が位置し、そして、支保工足場においては、支柱部材のコマの間を長短２種の水平材（つなぎ材）で水平２方向に連結するから、床付き布枠の端面間の隙間だけでなく並行する床付き布枠の間の隙間にも水平材が位置することに思い至った。
【００２５】
(d) すなわち、緊結式枠組足場や支保工式足場のようにコマを設けた支柱部材を用いる足場においては、両端部に端部金具が接合された水平材をコマに引っ掛けた後にクサビを打ち込むことによって水平材が支柱部材に緊結されている。したがって、この水平材の上に、床付き布枠の端面間の隙間を塞ぐための隙間塞ぎ材を設置することができる。また、水平材の上に設置した隙間塞ぎ材が、下方から吹き上げた風によって浮き上がることを防止することも可能になる。
【００２６】
そのためには、隙間塞ぎ材としては、支柱部材間の水平距離（短い方）とほぼ同じ長さを有するカバー材の端部の上面に、バネ材で付勢された設置部材をリベット（ピン）等で固定してなる構造とすればよい。バネ材としては、例えば、端部金具の幅とほぼ同じフランジ間隔を有し、フランジの内側に突起物が形成されているコの字形状の板バネであって、内側に向けて付勢力のあるものを用いることができる。そして、バネ材をカバー材の端部の上面に設けてなる隙間塞ぎ材を支柱部材間に位置する水平材の上に載置する際に、隙間塞ぎ材の一方の端部にある凹部を一方の水平材の端部に設置されている端部金具に合わせ、その端部金具に上方から押し込むようにして、隙間塞ぎ材の一方の端部を下方に移動させる。これにより、バネ材はその端部金具に押し当てられて、バネ材の突起が押し広げられた後、突起が端部金具の内面に入り込む形で嵌め合わせることができる。この後、隙間塞ぎ材の他方の端部を、水平材の他方の端部に設置されている端部金具の上部に移動しカバー材を鉛直方向に押し下げることにより、隙間塞ぎ材の他方の端部も固定され、隙間塞ぎ材を床付き布枠の端面間の隙間の上に設置することができる。
【００２７】
こうすれば、下方から風が吹き上げた場合であっても、床付き布枠の上から隙間塞ぎ材のカバー材が浮き上がることを防止できるし、カバー材が床付き布枠の上から脱落することはない。また、バネ材が端部金具に嵌め込まれた状態であればよいのであるから、隙間塞ぎ材が床付き布枠上から外れないように設置されているか否かを作業員が足場上から目視によって確認することができる。
【００２８】
なお、隙間塞ぎ材の搬入と設置は、支柱部材と水平材と床付き布枠を用いて足場が形成された時点で行うことができるので、その作業は安全である。
【００２９】
(e) また、床付き布枠を架け渡した後に、その隣に支柱を挟む形で、その床付き布枠と平行して別の床付き布枠を並べて架け渡す場合に、並行する床付き布枠の間に生じる隙間を塞ぐための隙間塞ぎ材を、同様にして、水平材の上に、設置することができる。また、隙間塞ぎ材としては、支柱部材間の水平距離（長い方）とほぼ同じ長さを有するカバー材の端部の上面に、上記と同様のバネ材からなる設置部材リベット（ピン）等で固定すればよい。
【００３０】
なお、支保工式足場の場合には、長い方の支柱部材間にも水平材が設けられているが、通常、緊結式枠組足場には長い方の支柱部材間に水平材が設けられていない。したがって、緊結式枠組足場において、並行する床付き布枠の間に生じる隙間を塞ぐための隙間塞ぎ材を設置する際には、予め長い方の支柱部材間にも水平材を設けておく。
【００３１】
並行する床付き布枠の間に生じる隙間を塞ぐための隙間塞ぎ材も、同様にして、床付き布枠からの浮き上がりを防止することができ、かつ目視によって確実に設置されているか否かを確認することができる。
【００３２】
(f) なお、このバネ材は、カバー材の長尺方向の上面の両方の端部に設けてもよい。ただし、カバー材の長尺方向の上面のいずれかの端部にはバネ材を設置せず、代わりに、カバー材に孔を空け、この孔にＬ型のフックを通してから溶接等で接合し、これを支柱部材間に設置した水平材に穿たれた長円孔に引っ掛けることによって、カバー材の長尺方向の一方の端部を水平材に固定することができる。なお、水平材に穿たれた長円孔としては、水平材を支柱部材のコマに緊結するためのクサビを取り付けておくクサビ収納孔を利用することができる。もちろん、クサビ収納孔とは別の孔を穿ってこれにＬ型のフックを引っ掛けても構わない。
【００３３】
(g) 一方、隙間塞ぎ材を水平材の上から取り外す際には、カバー材の一端に手を掛け、バネ材の保持荷重を超える力で隙間塞ぎ材を持ち上げると、バネ材は端部金具の巾寸法まで押し広げられた後、水平材の端部金具から外れる。その結果、隙間塞ぎ材の取り外しが可能となる。そして、バネ材はカバー材の上面にほぼ水平に載置されるので、積み重ね性がよく場所をとらないから、輸送時にはトラックの荷台に大量に積載することができる。
【００３４】
(h) 隙間塞ぎ材上を歩行する際に作業員が滑るのを防止するために、隙間塞ぎ材のカバー材の上面にはエンボス加工を施すのが好ましい。あるいは、滑り止めテープを貼り付けても良い。
【００３５】
(i) なお、このようなバネ材は金属材料で製作することができるから、屋外で使用しても紫外線等による劣化が生じないので、経年品であっても割れなどが発生するおそれは小さい。
【００３６】
本発明は、上記の知見に基づいて完成したものであって、その要旨は下記の(1)〜(5)の隙間塞ぎ材および下記(6)のこの隙間塞ぎ材を組み込んでなる枠組足場にある。以下、総称して、本発明という。
【００３７】
(1) カバー材と、そのカバー材の上面の両端部に取り付けられたバネ材からなる隙間塞ぎ材であって、そのバネ材はカバー材の幅方向の内側方向に付勢されていることを特徴とする隙間塞ぎ材。
【００３８】
(2) カバー材と、そのカバー材の一方の端部近傍には下面にＬ型のフックが取り付けられ、そのカバー材の他方の端部の上面にはバネ材が取り付けられてなる隙間塞ぎ材であって、そのバネ材はカバー材の幅方向の内側方向に付勢されていることを特徴とする隙間塞ぎ材。
【００３９】
(3) バネ材はコの字形状であり、フランジの内側に突起物が形成されていることを特徴とする、上記(1)または(2)の隙間塞ぎ材。
【００４０】
(4) カバー材の上面にはエンボス加工が施されていることを特徴とする、上記(1)〜(3)のいずれかの隙間塞ぎ材。
【００４１】
(5) カバー材の上面には滑り止めテープが貼り付けられていることを特徴とする、上記(1)〜(4)のいずれかの隙間塞ぎ材。
【００４２】
(6) 上記(1)〜(5)のいずれかの隙間塞ぎ材を備えることを特徴とする仮設足場。
【発明の効果】
【００４３】
本発明によれば、床付き布枠からの浮き上がりを防止することができ、かつ目視によって確実に設置されているか否かを確認することができる隙間塞ぎ材並びにこの隙間塞ぎ材を組み込んでなる仮設足場を提供する。
【図面の簡単な説明】
【００４４】
【図１】従来例にかかる支保工足場を示す平面図である。
【図２】本発明に係る隙間塞ぎ材の一例である。
【図３】図２に示す隙間塞ぎ材を平行する床付き布枠間の隙間に設置したときの支保工足場を示す平面図である。
【図４】図３における支柱材回りの隙間塞ぎ材の設置状況を示す縦断面の拡大図を示す。
【図５】本発明に係る隙間塞ぎ材の他の例である。
【図６】図５に示す隙間塞ぎ材を平行する床付き布枠間の隙間に設置したときの支保工足場を示す平面図である。
【図７】図６における支柱材回りの隙間塞ぎ材の設置状況を示す縦断面の拡大図を示す。
【図８】本発明に係る隙間塞ぎ材の他の例である。
【図９】図８に示す隙間塞ぎ材を平行する床付き布枠間の隙間に設置したときの支保工足場を示す平面図である。
【図１０】図９における支柱材回りの隙間塞ぎ材の設置状況を示す縦断面の拡大図を示す。
【発明を実施するための形態】
【００４５】
以下、本発明の実施の形態に係る隙間塞ぎ材および仮設足場について、実施例に基づいて説明する。なお、本発明は実施例に限定されるものではない。
【実施例１】
【００４６】
図２は、本発明に係る隙間塞ぎ材の一例である。図２(a)が平面図、図２(b)がバネ材の拡大平面図、図２(c)はＢ―Ｂ矢視の拡大断面図、図２(d)が図２(b)の右側面図、図２(e)がＣ−Ｃ矢視断面の拡大右側面図、そして、図２(f)がＤ−Ｄ矢視断面の拡大右側面図である。
【００４７】
この隙間塞ぎ材３０を構成するカバー材３１は、両端に凹部３２が形成されている。この凹部は、支柱部材に設けられたコマに連結される水平材の端部金具を収納できる形状である。カバー材３１の断面形状は、図２(e)に示す断面形状を有している。カバー材３１の一部には滑り止め防止のためにエンボス加工３３が施されている（図２(e)参照）。そして、カバー材３１の両端部の上面には、バネ材２２からなる設置部材がブラインドリベット３６によってカバー材３１に固定されている。バネ材２２は、端部金具１７の幅とほぼ同じフランジ間隔を有し、フランジの内側に突起物２３が形成されているコの字形状のバネであって、内側に向けて付勢力を有する。そして、隙間塞ぎ材３０を支柱部材間に位置する水平材１５の上に載置する際に、隙間塞ぎ材の一方の端部にある凹部を水平材２の一方の端部に設置されている端部金具１７に合わせ、その端部金具１７に上方から押し込むようにして、隙間塞ぎ材の一方の端部を下方に移動させる。これにより、バネ材２２はその端部金具１７に押し当てられて、バネ材２２の突起２３が押し広げられた後、端部金具１７の内面に突起２３が入り込む形で嵌め合わせることができる。この後、隙間塞ぎ材の他方の端部を、水平材２の他方の端部に設置されている端部金具１７の上部に移動しカバー材を鉛直方向に押し下げることにより、隙間塞ぎ材の他方の端部も固定され、隙間塞ぎ材を床付き布枠の端面間の隙間の上に設置する。
【００４８】
図３は、この隙間塞ぎ材を平行する床付き布枠間の隙間に設置したときの支保工足場を示す平面図である。図３(a)が全体図、そして、図３(b)が中央部の拡大図である。
【００４９】
図４に、中央部の支柱材回りの隙間塞ぎ材の設置状況を示す縦断面の拡大図を示す。図４(a)が図３(b)のＡ−Ａ矢視断面の拡大図、そして図４(b)が図３(b)のＢ−Ｂ矢視断面の拡大図を示す。なお、図４(c)はバネ材を端部金具から外し、隙間塞ぎ材を外した状態での図３(b)のＢ−Ｂ矢視断面の拡大図を示す。
【００５０】
この隙間塞ぎ材は、図４(a)にみるごとく、カバー材３１の中央部が、支柱部材間に位置する長尺の水平材１５ｂの上に載置され、そして、カバー材３１の側部が短幅の床付き布枠９ａと長幅の床付き布枠９ｂの両縁側面の布材部の上に載置される。そして、カバー材をカバー材の軸方向若しくは鉛直方向に押し下げることにより、バネ材の幅が端部金具より大きくなり、端部金具の内側に突起が入り込み端部金具に取り付けられた状態となる。この結果、隙間塞ぎ材を平行する床付き布枠間の隙間の上に固定することができる。
【００５１】
このようにして、平行する床付き布枠間の隙間が隙間塞ぎ材によって塞がれているので、作業員が支保工足場を組立若しくは解体する作業中に又は支保工足場上を移動中に、その隙間から工具や建築資材等を落下させたり、作業員がその隙間につまづいたりするおそれはなくなる。また、下方から風が吹き上げた場合にも隙間塞ぎ材の床付き布枠からの浮き上がりを防止することができ、かつ目視によって確実に隙間塞ぎ材が床付き布枠上に設置されているか否かを確認することができる。
【００５２】
以上は、平行する床付き布枠間の隙間を隙間塞ぎ材によって塞ぐ手順を説明したが、床付き布枠の端面間の隙間も同様にして塞ぐことができることは言うまでもない。
【００５３】
なお、隙間塞ぎ材を水平材１５の上から取り外す際には、カバー材の一端に手を掛け、バネ材の保持荷重を超える力で隙間塞ぎ材を持ち上げると、バネ材は端部金具の巾寸法まで押し広げられた後、水平材の端部金具から外れる。その結果、隙間塞ぎ材の取り外しが可能となる。
【実施例２】
【００５４】
図５は、本発明に係る隙間塞ぎ材の他の例である。図５(a)が平面図、図５(b)がバネ材の拡大平面図、図５(c)はＢ―Ｂ矢視断面の拡大図、図５(d)が図５(b)の右側面図、そして、図５(e)がＣ−Ｃ矢視断面の拡大図である。
【００５５】
この隙間塞ぎ材３０を構成するカバー材３１の一部には滑り止め防止のために、エンボス加工の代わりに、滑り止めテープ３８が貼付されている点を除いて、実施例１と同じである。
【００５６】
すなわち、この隙間塞ぎ材に用いるカバー材３１は、両端に凹部３２が形成されている。この凹部は、支柱部材に設けられたコマに連結される水平材の端部金具を収納できる形状である。カバー材３１の断面形状は、図５(e)に示す断面形状を有している。カバー材３１の一部には滑り止め防止のために滑り止めテープ３８が貼付されている。そして、カバー材３１の両端部の上面には、バネ材２２からなる設置部材がブラインドリベット３６によってカバー材３１に固定されている。バネ材２２は、端部金具１７の幅とほぼ同じフランジ間隔を有し、フランジの内側に突起物２３が形成されているコの字形状のバネであって、内側に向けて付勢力を有する。そして、隙間塞ぎ材３０を支柱部材間に位置する水平材１５の上に載置する際に、バネ材を水平材の端部金具に押し付けるとバネの付勢力と突起物２３の存在によってコの字状のバネ材２２が端部金具１７に取り付けられた状態となる。
【００５７】
図６は、この隙間塞ぎ材を平行する床付き布枠間の隙間に設置したときの支保工足場を示す平面図である。図６(a)が全体図、そして、図６(b)が中央部の拡大図である。
【００５８】
図７に、中央部の支柱材回りの隙間塞ぎ材の設置状況を示す縦断面の拡大図を示す。図７(a)が図６(b)のＡ−Ａ矢視断面の拡大図、そして図７(b)が図６(b)のＢ−Ｂ矢視断面の拡大図を示す。なお、図７(c)は隙間塞ぎ材を外した状態での図６(b)のＢ−Ｂ矢視断面の拡大図を示す。
【００５９】
この隙間塞ぎ材は、図７(a)にみるごとく、カバー材３１の中央部が、支柱部材間に位置する長尺の水平材１５ｂの上に載置され、そして、カバー材３１の側部が短幅の床付き布枠９ａと長幅の床付き布枠９ｂの両縁側面の布材部の上に載置される。そして、図７(b)にみるごとく、水平材の端部金具に押し付けると、バネの付勢力によってコの字状のバネ材２２が端部金具１７に取り付けられた状態となる。これにより隙間塞ぎ材を平行する床付き布枠間の隙間の上に固定することができる。
【００６０】
このようにして、平行する床付き布枠間の隙間が隙間塞ぎ材によって塞がれているので、作業員が支保工足場を組立若しくは解体する作業中に又は支保工足場上を移動中に、その隙間から工具や建築資材等を落下させたり、作業員がその隙間につまづいたりするおそれはなくなる。また、下方から風が吹き上げた場合にも隙間塞ぎ材の床付き布枠からの浮き上がりを防止することができ、かつ目視によって確実に隙間塞ぎ材が床付き布枠上に設置されているか否かを確認することができる。
【００６１】
以上は、平行する床付き布枠間の隙間を隙間塞ぎ材によって塞ぐ手順を説明したが、床付き布枠の端面間の隙間も同様にして塞ぐことができることは言うまでもない。
【００６２】
なお、隙間塞ぎ材を水平材１５の上から取り外す際には、カバー材の一端に手を掛け、バネ材の保持荷重を超える力で隙間塞ぎ材を持ち上げると、バネ材は端部金具の巾寸法まで押し広げられた後、水平材の端部金具から外れる。その結果、隙間塞ぎ材の取り外しが可能となる。
【実施例３】
【００６３】
図８は、本発明に係る隙間塞ぎ材の他の例である。図８(a)が平面図、図８(b)がＡ部の拡大平面図、図８(c)はＢ―Ｂ矢視断面の拡大図、図８(d)がＣ−Ｃ矢視断面の拡大図、図８(e)がバネ部の拡大平面図、そして、図８(f)はＥ―Ｅ矢視断面の拡大図、そして、図８(g)が図８(b)の左側面図、である。
【００６４】
この隙間塞ぎ材に用いるカバー材３１は、両端に凹部３２が形成されている。この凹部は、支柱部材に設けられたコマに連結される水平材の端部金具を収納できる形状である。カバー材３１の断面形状は、図８(d)に示す断面形状を有している。カバー材３１の一部には滑り止め防止のために滑り止めテープ３８が貼付されている。
【００６５】
そして、カバー材３１の左端部近傍にはフック取付孔４０が開けられ、このフック取付孔４０にＬ型フック４１が通されてから溶接で接合されている。このＬ型フック４１を、支柱部材間に設置した水平材１５に穿たれたクサビ収納孔２０に引っ掛けることによって、カバー材３１の長尺方向の一方の端部を水平材１５に固定することができる。ここでは、水平材１５に穿たれたクサビ収納孔２０を利用してＬ型フック４１を水平材１５に固定したが、クサビ収納孔２０とは別の孔を水平材１５に穿ってこれにＬ型フック４１を引っ掛けても構わない。
【００６６】
また、カバー材３１の右端部の上面には、バネ材２２からなる設置部材がブラインドリベット３６によってカバー材３１に固定されている。バネ材２２は、端部金具１７の幅とほぼ同じフランジ間隔を有し、フランジの内側に突起物２３が形成されているコの字形状のバネであって、内側に向けて付勢力を有する。そして、隙間塞ぎ材３０を支柱部材間に位置する水平材１５の上に載置する際に、バネ材を水平材の端部金具に押し付けるとバネの付勢力と突起物２３の存在によってコの字状のバネ材２２が端部金具１７に取り付けられた状態となる。
【００６７】
図９は、この隙間塞ぎ材を平行する床付き布枠間の隙間に設置したときの支保工足場を示す平面図である。図９(a)が全体図、そして、図９(b)が中央部の拡大図である。
【００６８】
図１０に、中央部の支柱材回りの隙間塞ぎ材の設置状況を示す縦断面の拡大図を示す。図１０(a)が図９(b)のＡ−Ａ矢視断面の拡大図、そして図１０(b)が図９(b)のＢ−Ｂ矢視断面の拡大図を示す。なお、図１０(c)はバネ材を端部金具から外した状態での図９(b)のＢ−Ｂ矢視断面の拡大図を示す。
【００６９】
この隙間塞ぎ材は、図９(a)にみるごとく、カバー材３１の中央部が、支柱部材間に位置する長尺の水平材１５ｂの上に載置され、そして、カバー材３１の側部が短幅の床付き布枠９ａと長幅の床付き布枠９ｂの両縁側面の布材部の上に載置される。
【００７０】
カバー材３１を水平材１５ｂの上に載置する際には、図９(b)にみるごとく、カバー材３１の左端部近傍に設けられたＬ型フック４１を、支柱部材間に設置した水平材１５に穿たれたクサビ収納孔２０に引っ掛けることによって、カバー材３１の長尺方向の一方の端部は水平材１５に固定される。
【００７１】
次に、図１０(b)にみるごとく、水平材の端部金具に押し付けるとバネの付勢力によってコの字状のバネ材２２が端部金具１７に取り付けられた状態となる。これにより隙間塞ぎ材を平行する床付き布枠間の隙間の上に固定することができる。
【００７２】
このようにして、平行する床付き布枠間の隙間が隙間塞ぎ材によって塞がれているので、作業員が支保工足場を組立若しくは解体する作業中に又は支保工足場上を移動中に、その隙間から工具や建築資材等を落下させたり、作業員がその隙間につまづいたりするおそれはなくなる。また、下方から風が吹き上げた場合にも隙間塞ぎ材の床付き布枠からの浮き上がりを防止することができ、かつ目視によって確実に隙間塞ぎ材が床付き布枠上に設置されているか否かを確認することができる。
【００７３】
以上は、平行する床付き布枠間の隙間を隙間塞ぎ材によって塞ぐ手順を説明したが、床付き布枠の端面間の隙間も同様にして塞ぐことができることは言うまでもない。
【００７４】
なお、隙間塞ぎ材を水平材１５の上から取り外す際にはカバー材の一端に手を掛け、バネ材の保持荷重を超える力で隙間塞ぎ材を持ち上げると、バネ材は端部金具の巾寸法まで押し広げられた後、水平材の端部金具から外れる。その結果、隙間塞ぎ材の取り外しが可能となる。
【産業上の利用可能性】
【００７５】
本発明によれば、床付き布枠からの浮き上がりを防止することができ、かつ目視によって確実に設置されているか否かを確認することができる隙間塞ぎ材並びにこの隙間塞ぎ材を組み込んでなる仮設足場を提供する。
【符号の説明】
【００７６】
３  支柱部材
９  床付き布枠
９ａ  短幅の床付き布枠
９ｂ  長幅の床付き布枠
１０  コマ
１５  水平材
１５ａ  短尺の水平材（腕木材）
１５ｂ  長尺の水平材
１７  端部金具
１９  クサビ
２０  クサビ収納孔
２２  バネ材
２３  突起
３０  隙間塞ぎ材
３１  カバー材
３２  凹部
３３  エンボス加工
３６  ブラインドリベット
３８  滑り止めテープ
４０  フック取付孔
４１  Ｌ型フック
【図１】
2011226221.tif 000003
【図２】
2011226221.tif 000004
【図３】
2011226221.tif 000005
【図４】
2011226221.tif 000006
【図５】
2011226221.tif 000007
【図６】
2011226221.tif 000008
【図７】
2011226221.tif 000009
【図８】
2011226221.tif 000010
【図９】
2011226221.tif 000011
【図１０】
2011226221.tif 000012